(57)【要約】【課題】本発明は、目地を小さくするとともに、容易に固定することのできる外装パネルを提供することを目的とする。【解決手段】同一構造を有する他の外装パネル１０と連結可能な外装パネル１０において、パネル本体２０と、前記他の外装パネル１０に差し込まれるための差込部３０と、前記他の外装パネル１０の前記差込部３０を受けるための受け部４０とを備え、前記差込部３０は、前記パネル本体２０の一方の縁部２１近傍で裏面側２２に設けられているとともに、前記他の外装パネル１０の前記受け部４０に引っ掛かるためのフック部３１を有し、前記受け部４０は、前記パネル本体２０の他方の縁部２３近傍で前記裏面側２２に設けられているとともに、前記他の外装パネル１０の前記フック部３１が引っ掛かるための突起部４１と、前記他の外装パネル１０の前記裏面２２を付勢するための付勢部４２とを有するようにした。【選択図】図１
2020139394.tif 000002
【特許請求の範囲】
【請求項１】
同一構造を有する他の外装パネルと連結可能な外装パネルにおいて、
パネル本体と、
前記他の外装パネルに差し込まれるための差込部と、
前記他の外装パネルの前記差込部を受けるための受け部とを備え、
前記差込部は、前記パネル本体の一方の縁部近傍で裏面側に設けられているとともに、前記他の外装パネルの前記受け部に引っ掛かるためのフック部を有し、
前記受け部は、前記パネル本体の他方の縁部近傍で前記裏面側に設けられているとともに、前記他の外装パネルの前記フック部が引っ掛かるための突起部と、前記他の外装パネルの前記裏面を付勢するための付勢部とを有することを特徴とする、外装パネル。
【請求項２】
請求項１に記載の外装パネルにおいて、
前記付勢部と前記突起部との間に、前記差込部が通るための通路が形成されており、前記付勢部は、前記差込部を前記突起部側に付勢することを特徴とする、外装パネル。
【請求項３】
請求項２に記載の外装パネルにおいて、
前記フック部は、先端が曲がって前記パネル本体から離れる方向に延びる抜け止めが設けられており、前記通路が広がるように前記付勢部がたわんだときにのみ、前記付勢部と前記突起部との間を通れることを特徴とする、外装パネル。
【請求項４】
請求項３に記載の外装パネルにおいて、
前記抜け止めは、湾曲部が形成されていることを特徴とする、外装パネル。
【請求項５】
請求項１乃至４のいずれか１項に記載の外装パネルにおいて、
前記付勢部は、たわんでない状態で、先端が前記パネル本体の前記裏面よりも表面側に突出していることを特徴とする、外装パネル。
【請求項６】
請求項１乃至５のいずれか１項に記載の外装パネルにおいて、
前記差込部は、前記パネル本体が前記一方の縁部で前記裏面側に屈曲するように形成され、前記受け部は、前記パネル本体が前記他方の縁部で前記裏面側に屈曲するように形成されたことを特徴とする、外装パネル。
【発明の詳細な説明】
【技術分野】
【０００１】
本発明は、同一構造を有する他の外装パネルと連結可能な外装パネルに関する。
【背景技術】
【０００２】
従来、同一構造を有する他の外装パネルと連結可能な外装パネルが知られている（例えば、特許文献１参照）。この種の外装パネルは、板状に形成されて長手方向に沿った左右の縁部にそれぞれ他の外装パネルが連結されるようになっており、本体パネルと、他の外装パネルに差し込まれるための差込部と、他の外装パネルの差込部を受けるための受け部とを備えて形成されていた。
【０００３】
具体的には、例えば、差込部は本体パネルが縁部で裏面側に１８０度湾曲して形成され、受け部は本体パネルの縁部近傍が裏面側に階段状に一段下がって、差込部がスライドするためのスライドスペースが形成されているとともに、縁部で表面側に１８０度湾曲して形成されていた。これにより、一方の外装パネルの差込部を他方の外装パネルの受け部に差し込む際には、一方の外装パネルの差込部を他方の外装パネルに形成されたスライドスペースに位置させた後に、２枚の外装パネルが離れる方向に一方の外装パネルの差込部をスライドさせることにより２枚の外装パネルを連結していた。また、２枚の外装パネルは、連結された後に固定金具で固定されていた。すなわち、複数の外装パネルを連結する際には、第１の外装パネルの受け部に第２の外装パネルの差込部が差し込まれて連結される一方、第２の外装パネルの受け部に第３の外装パネルの差込部が差し込まれて、第２の外装パネルを挟んで第１の外装パネル及び第３の外装パネルが連結されるようになっていた。
【先行技術文献】
【特許文献】
【０００４】
【特許文献１】実開平６−５９５２０
【発明の概要】
【発明が解決しようとする課題】
【０００５】
しかしながら、上記従来の技術による外装パネルは、受け部側の縁部近傍が裏面側に階段状に一段下がってスライドスペースが形成され、差込部がスライドスペース内をスライド移動する必要があった。これにより、施行後に隣り合う外装パネル間に、建物の高さ方向に延びる大きな凹みによる目地が形成されてしまうため、外装を平滑な面にするには新たなパネルで全体を覆う必要があった。
【０００６】
また、外装パネルどうしは固定金具で初めて固定されるため、外装パネルを連結させる際に、固定金具で固定するまでは隣り合う外装パネルどうしは引っ掛かっているだけであり、一方の外装パネルの差込部が他方の外装パネルの受け部から抜けないように作業者が保持している必要があった。
【０００７】
本発明の目的は、上述した従来の技術が有する課題を解消し、目地を小さくするとともに、容易に固定することのできる外装パネルを提供することにある。
【課題を解決するための手段】
【０００８】
本発明は、同一構造を有する他の外装パネルと連結可能な外装パネルにおいて、パネル本体と、前記他の外装パネルに差し込まれるための差込部と、前記他の外装パネルの前記差込部を受けるための受け部とを備え、前記差込部は、前記パネル本体の一方の縁部近傍で裏面側に設けられているとともに、前記他の外装パネルの前記受け部に引っ掛かるためのフック部を有し、前記受け部は、前記パネル本体の他方の縁部近傍で前記裏面側に設けられているとともに、前記他の外装パネルの前記フック部が引っ掛かるための突起部と、前記他の外装パネルの前記裏面を付勢するための付勢部とを有することを特徴とする。
【０００９】
この場合において、前記付勢部と前記突起部との間に、前記差込部が通るための通路が形成されており、前記付勢部は、前記差込部を前記突起部側に付勢してもよい。前記フック部は、先端が曲がって前記パネル本体から離れる方向に延びる抜け止めが設けられており、前記通路が広がるように前記付勢部がたわんだときにのみ、前記付勢部と前記突起部との間を通れてもよい。前記抜け止めは、湾曲部が形成されていてもよい。前記付勢部は、たわんでない状態で、先端が前記パネル本体の前記裏面よりも表面側に突出していてもよい。前記差込部は、前記パネル本体が前記一方の縁部で前記裏面側に屈曲するように形成され、前記受け部は、前記パネル本体が前記他方の縁部で前記裏面側に屈曲するように形成されていてもよい。
【発明の効果】
【００１０】
本発明では、目地を小さくするとともに、容易に固定することのできる外装パネルを提供できる。
【図面の簡単な説明】
【００１１】
【図１】第１実施形態に係る外装パネルを示す断面図である。
【図２】第１実施形態に係る第１の外装パネルの差込部が第２の外装パネルの受け部に差し込まれて行く様子を示す断面図である。
【図３】第１実施形態に係る第１の外装パネルと第２の外装パネルとが連結された様子を示す断面図である。
【図４】第１実施形態に係る第１の外装パネルを第２の外装パネルから外そうとする様子を示す断面図である。
【図５】第２実施形態に係る第１の外装パネルと第２の外装パネルとが連結された様子を示す断面図である。
【発明を実施するための形態】
【００１２】
以下、図面を参照して、本発明の好適な実施の形態について説明する。
［１］第１実施形態
図１は、第１実施形態に係る外装パネルを示す断面図である。
外装パネル１０は、主に立体駐車場、資材置場、スーパーマーケット等の中層建築物の外装に用いられる金属製パネルである。この外装パネル１０は、パネル本体２０と、差込部３０と、受け部４０とを備えており、カラー鋼板をプレスして形成されている。
【００１３】
パネル本体２０は、肉厚０．５ｍｍ（ミリメートル）の金属製パネルであり、施行される建築物の高さ方向に長手方向を有するように長尺に形成されている。
【００１４】
差込部３０は、パネル本体２０の一方の縁部２１近傍で裏面２２に設けられており、他の外装パネル１０の受け部４０に差し込まれるようになっている。より具体的には、差込部３０は、パネル本体２０が一方の縁部２１で裏面２２側、すなわち裏方向Ａに屈曲されて差込部本体３０ａが形成されている。
【００１５】
差込部３０は、他の外装パネル１０の受け部４０に引っ掛かるためのフック部３１を有しており、フック部３１は、真っ直ぐに延びる差込部本体３０ａの端部が表方向Ｂかつ裏面２２に沿って裏面２２の外側に向かう図中左方向Ｃに向けて屈曲されて形成されている。フック部３１は、先端がさらに裏方向Ａかつ裏面２２の外側に向かう図中左方向Ｃに向けて屈曲されて、受け部４０から抜けるのを防止するための抜け止め３２が形成されている。
【００１６】
受け部４０は、パネル本体２０の他方の縁部２３近傍で裏面２２に設けられており、他の外装パネル１０の差込部３０を受けるようになっている。より具体的には、受け部４０は、パネル本体２０が他方の縁部２３で裏面２２側、すなわち裏方向Ａに屈曲されて第１のアーム４０ａが形成されている。
【００１７】
受け部４０は、他の外装パネル１０のフック部３１が引っ掛かるための突起部４１と、他の外装パネル１０の裏面２２を付勢するための付勢部４２とを有している。突起部４１は、真っ直ぐに延びる第１のアーム４０ａの端部が表方向Ｂかつ裏面２２に沿って裏面２２の内側に向かう図中左方向Ｃに向けて屈曲されて形成されている。
【００１８】
突起部４１で屈曲された受け部４０は、裏面２２と略平行に延びる第２のアーム４０ｂが形成されている。
【００１９】
第２のアーム４０ｂは、端部が裏方向Ａかつ図中左方向Ｃに屈曲されて、裏面２２に対して斜めに離れるように延びる第３のアーム４０ｃが形成されている。
【００２０】
第３のアーム４０ｃは、端部が裏方向Ａかつ図中右方向Ｄに屈曲されて、裏面２２に対して斜めに離れるように延びる第４のアーム４０ｄが形成されている。この第４のアーム４０ｄは、突起部４１との間隔が差込部３０の抜け止め３２の幅よりも小さく形成されており、受け部４０に差し込まれた差込部３０の抜け止め３２の先端が当たって、突起部４１との間に抜け止め３２が引っ掛かるようになっている。
【００２１】
第４のアーム４０ｄは、端部が屈曲されて裏面２２と略平行に裏面２２の外側に向かう図中右方向Ｄに延びる第５のアーム４０ｅが形成されている。
【００２２】
第５のアーム４０ｅは、端部が略直角に屈曲されて、裏面２２に対して略垂直に表方向Ｂに延びる第６のアーム４０ｆが形成されている。
【００２３】
第６のアーム４０ｆは、端部が表方向Ｂかつ外側に向かう図中右方向Ｄに向けて屈曲されて、第７のアーム４０ｇが形成されている。
【００２４】
第７のアーム４０ｇは、端部が外側に向かう図中右方向Ｄに向けてさらに軽く屈曲されて、第８のアーム４０ｈが形成されており、この第８のアーム４０ｈの先端４３が他の外装パネル１０の裏面２２に当たって付勢するようになっている。
【００２５】
付勢部４２は、たわんでない状態で、付勢部４２の先端４３がパネル本体２０の裏面２２よりも表面２４側に突出している。なお、本実施形態では、第７のアーム４０ｇと第８のアーム４０ｈとの間で軽く屈曲させることにより、付勢部４２の先端４３を他の外装パネル１０に適度に弱い力で当てることができる。このため、薄い鋼板で形成された他の外装パネル１０の表面２４に、裏側から先端４３が当たることにより現れるしわが生じないようになっている。
【００２６】
受け部４０は、差込部３０が差し込まれた状態で、差込部３０を囲むように形成されている。これにより、受け部４０は、付勢部４２と突起部４１との間に、差込部３０が通るための通路４４が形成されており、付勢部４２は、差込部３０を突起部４１側に付勢するようになっている。この通路４４は、差込部３０の幅よりも狭く形成されており、通路４４が広がるように付勢部４０がたわんだときにのみ、差込部３０の抜け止め３２が付勢部４２と突起部４１との間を通れるようになっている。
【００２７】
以下、隣り合う２枚の外装パネルの連結について説明する。
図２は、第１の外装パネルの差込部が第２の外装パネルの受け部に差し込まれて行く様子を示す断面図であり、図３は、第１の外装パネルと第２の外装パネルとが連結された様子を示す断面図であり、図４は、第１の外装パネルを第２の外装パネルから外そうとする様子を示す断面図である。
【００２８】
第１の外装パネル１０を第２の外装パネル１０に連結する際には、図２に示すように、第１の外装パネル１０の差込部３０を第２の外装パネル１０の受け部４０に差し込めばよい。このとき、第２の外装パネル１０の付勢部４２は、第１の外装パネル１０の差込部３０に押し広げられて通路４４が広がる矢印Ｅで示す方向にたわむとともに、第１の外装パネル１０の抜け止め３２は第２の外装パネル１０のパネル本体２０側に矢印Ｆで示す方向にたわむようになっている。
【００２９】
差し込まれた第１の外装パネル１０の差込部３０は、フック部３１の先端が第２の外装パネル１０の突起部４１を越えると、図３に示すように、第２の外装パネル１０の付勢部４２により矢印Ｇで示す方向に付勢されつつフック部３１が突起部４１に引っ掛かり、第２の外装パネル１０の受け部４０に固定される。これにより、第１の外装パネル１０は第２の外装パネル１０に連結される。
【００３０】
このとき、第２の外装パネル１０の付勢部４２の先端４３が第１の外装パネル１０のパネル本体２０の裏面２２を矢印Ｇで示す方向に軽く付勢したまま支持しているので、第１の外装パネル１０のパネル本体２０は裏方向Ａに移動し難い。また、第１の外装パネル１０は、フック部３１を軸に回転するように矢印Ｇで示す方向に付勢されているため、第１の外装パネル１０の縁部２１が第２の外装パネル１０の受け部４０側の縁部２３に当たって移動しないようになっている。これにより、第１の外装パネル１０の差込部３０と第２の外装パネル１０の受け部４０とは係合したまま保持されることができる。
【００３１】
一方、第１の外装パネル１０を第２の外装パネル１０から外そうとすると、図４に示すように、第１の外装パネル１０の抜け止め３２が第２の外装パネルの１０の付勢部４２と突起部４１との間に引っ掛かって抜けないようになっている。なお、第１の外装パネル１０の差込部３０を第２の外装パネル１０の受け部４０に差し込む際には差し込む方向と第２の外装パネル１０の付勢部４２がたわむ方向とが略同じ方向なので差し込み部３０を受け部４０に勢い良く差し込んだだけで付勢部４２は通路４４が広がる矢印Ｅで示す方向にたわみ易い。一方、差込部３０を第２の外装パネル１０の受け部４０から引き抜こうとする際には引き抜く方向と通路４４が広がるように第２の外装パネル１０の付勢部４０がたわむ方向とが略逆方向なので、第２の外装パネル１０の付勢部４２を通路４４が広がる矢印Ｅで示す方向にたわませるのは困難になっている。なお、第１の外装パネル１０を第２の外装パネル１０から外す際には、第１の外装パネル１０または第２の外装パネル１０を、長手方向にスライドさせて引き抜くことにより外すことができるようになっている。
【００３２】
本実施形態に係る外装パネル１０は、差込部３０が、パネル本体１０の一方の縁部２１近傍で裏面２２に設けられるとともに、他の外装パネル１０の受け部４０に引っ掛かるためのフック部３１を有し、受け部４０が、パネル本体１０の他方の縁部２３近傍で裏面２２に設けられるとともに、他の外装パネル１０のフック部３１が引っ掛かるための突起部４１と、他の外装パネル１０の裏面２２を付勢するための付勢部４２とを有している。これにより、差込部３０を受け部４０に真っ直ぐに差し込むだけでフック部３１が突起部４１に引っ掛って抜けなくなるので、差し込んだ差込部３０をスライドさせる、回転させる、及び固定金具で固定するといった手順が不要であり、差込部３０を受け部４０に差し込む際にのみ必要とされるスペースが外装パネル１０の表面２４側に露出しない。このため、隣り合う外装パネル１０どうしの間に形成される目地を小さくするとともに、外装パネル１０どうしを容易に固定することができる。
【００３３】
また、フック部３１は、先端が曲げられてパネル本体２０から離れる方向に延びる抜け止め３２が設けられて通路４４に引っ掛かるようになっており、通路４４が広がるように付勢部４２がたわんだときにのみ、通路４４の付勢部４２と突起部４１との間を通れるようになっている。これにより、フック部３１を突起部４１から外そうとしても抜け止め３２が付勢部４２と突起部４１との間に引っ掛かるため、差込部３０が受け部４０から抜けるのを防止することができる。
【００３４】
［２］第２実施形態
図５は、第２実施形態に係る第１の外装パネルと第２の外装パネルとが連結された様子を示す断面図である。
【００３５】
第２実施形態に係る外装パネル１１０では、図５に示すように、差込部３０の抜け止め３２の形状、及び受け部４０の形状が第１実施形態と異なっている。なお、図５において、第１実施形態と略同様の構成は、同一の符号を付して重複する説明を省略し、異なる部分を詳細に説明する。
【００３６】
差込部３０は、抜け止め３２が湾曲部３３で図中右方向Ｄに曲がって形成されている。これにより、抜け止め３２は、差込部３０が他の外装パネル１１０の受け部４０に差し込まれたときに、湾曲部３３が受け部４０の第３のアーム４０ｃに当たるとともに、先端が受け部４０の第４のアーム４０ｄに当たるようになっている。
【００３７】
受け部４０は、第５のアーム４０ｅが第１実施形態よりも長く形成されている。第５のアーム４０ｅは、端部が屈曲されて、第６のアーム４０ｆが形成されている。この第６のアーム４０ｆは、連結される他の外装パネル１１０の裏面２２に向かって真っ直ぐに延びており、先端４３がこの裏面２２に当たって付勢するようになっている。
【００３８】
本実施形態に係る外装パネル１１０は、抜け止め３２に湾曲部３３が形成されている。これにより、フック部３１を突起部４１から外そうとしても、第１実施形態に比べて抜け止め３２はその延びる方向に近い向きで受け部４０の第５のアーム４０ｅに突き当たるため、抜け止め３２はたわみ難くなっている。このため、フック部３１が付勢部４２と突起部４１との間に引っ掛かり易くすることができる。
【００３９】
以上、一実施形態に基づいて本発明を説明したが、本発明は、これに限定されるものではない。上記実施形態では、外装パネル１０の材料としてカラー鋼板を用いているが、これに限定されず、弾力性を有する材料であれば、ＦＲＰ等の樹脂、樹脂で鋼板をコーティングした耐酸性被覆鋼板、ガルバリウム鋼板（登録商標）等であってもよい。
【００４０】
また、第２実施形態では、抜け止め３２の湾曲部３３は、図中右方向Ｄに曲がって形成されているが、本発明はこれに限定されず、図中左方向Ｃに曲がって形成されていてもよい。
【００４１】
さらに、上記第１及び第２実施形態では、受け部４０の第５のアーム４０ｅは、真っ直ぐに形成されているが、本発明はこれに限定されず、抜け止め３２が抜け難くするための突起等が形成されていてもよい。
【符号の説明】
【００４２】
１０    外装パネル
２０    パネル本体
２１    縁部
２２    裏面
２３    縁部
２４    表面
３０    差込部
３０ａ  差込部本体
３１    フック部
３２    抜け止め
３３    湾曲部
４０    受け部
４０ａ  第１のアーム
４０ｂ  第２のアーム
４０ｃ  第３のアーム
４０ｄ  第４のアーム
４０ｅ  第５のアーム
４０ｆ  第６のアーム
４０ｇ  第７のアーム
４０ｈ  第８のアーム
４１    突起部
４２    付勢部
４３    先端
４４    通路
【図１】
2020139394.tif 000003
【図２】
2020139394.tif 000004
【図３】
2020139394.tif 000005
【図４】
2020139394.tif 000006
【図５】
2020139394.tif 000007